(57)【要約】　　　（修正有）【課題】刷毛の硬さを硬くすることなく、刷毛の腰を強くでき、歯間の清掃も容易に行うことができる歯ブラシを提供する。【解決手段】植毛部１４に刷毛２が植毛された歯ブラシＡ，Ｂにおいて、刷毛２の植毛面１５から刷毛先端までの長さＬ１，Ｌ２が２ｍｍ以上５ｍｍ以下であること、また、基台１の両面に刷毛２が植毛されていること。【選択図】　　　図２
0003097828.tif 000002
【実用新案登録請求の範囲】
【請求項１】
植毛部に刷毛が植毛された歯ブラシにおいて、刷毛の植毛面から刷毛先端までの長さが２ｍｍ以上５ｍｍ以下であることを特徴とする歯ブラシ。
【請求項２】
植毛部に刷毛が植毛された歯ブラシにおいて、基台の両面に刷毛が植毛され、少なくとも一方の面に植毛された刷毛の植毛面から刷毛先端までの長さが２ｍｍ以上５ｍｍ以下であることを特徴とする歯ブラシ。
【請求項３】
刷毛の植毛面から刷毛先端までの長さが３ｍｍ以上４ｍｍ以下である請求項１または請求項２に記載の歯ブラシ。
【考案の詳細な説明】
【０００１】
【考案の属する技術分野】
本考案は、歯ブラシに関する。
【０００２】
【従来の技術】
歯磨きを行う場合、歯の表裏面を磨くだけではなく、歯間も十分に磨かないと歯周病や虫歯になる恐れがある。
しかし、従来の歯ブラシは、刷毛の腰が弱く、歯間に十分に入り込まず、歯間の清掃が不十分になりがちである。
【０００３】
一方、刷毛の硬さを硬くするようにすれば、刷毛の腰が強くなり、上記問題が解消されるのであるが、刷毛を硬いものにすると、刷毛によって歯そのものや歯茎を却って傷めてしまうという問題が生じる。
【０００４】
【考案が解決しようとする課題】
本考案は、上記事情に鑑みて、刷毛の硬さを硬くすることなく、刷毛の腰を強くでき、歯間の清掃も容易に行うことができる歯ブラシを提供することを目的としている。
【０００５】
【課題を解決するための手段】
上記目的を達成するために、本考案の請求項１に記載の歯ブラシ（以下、「請求項１の歯ブラシ」と記す）は、植毛部に刷毛が植毛された歯ブラシにおいて、刷毛の植毛面から刷毛先端までの長さが２ｍｍ以上５ｍｍ以下であることを特徴としている。
【０００６】
本考案の請求項２に記載の歯ブラシ（以下、「請求項２の歯ブラシ」と記す）は、植毛部に刷毛が植毛された歯ブラシにおいて、基台の両面に刷毛が植毛され、少なくとも一方の面に植毛された刷毛の植毛面から刷毛先端までの長さが２ｍｍ以上５ｍｍ以下であることを特徴としている。
【０００７】
本考案の請求項３に記載の歯ブラシ（以下、「請求項３の歯ブラシ」と記す）は、請求項１または請求項２の歯ブラシにおいて、刷毛の植毛面から刷毛先端までの長さが３ｍｍ以上４ｍｍ以下であることを特徴としている。
【０００８】
本考案において、刷毛の材質としては、特に限定されないが、たとえば、ポリブチレンテレフタレート、ポリエチレンテレフタレート、ポリアミド（ナイロン）、ポリプロピレン等の合成樹脂のモノフィラメントや、豚や馬などの動物の毛が挙げられる。
植毛台および持ち手部分の材質としては、特に限定されないが、たとえば、アクリロニトリル−スチレン共重合体、ポリプロピレン、ポリメタクリル酸メチル等の従来から歯ブラシに使用されている合成樹脂、あるいは、木質材が挙げられる。
【０００９】
【作用】
刷毛の長さを５ｍｍ以下にすれば、刷毛が柔らかい材質で形成されていても、途中で折れ曲がることなく腰が強い状態になり、歯間に入り込む。また、柔らかい材質であるので、歯の表面を傷めたり、歯茎を傷めたりせず歯の表面を磨くことができる。
また、２ｍｍ以上の長さがあれば、少なくとも歯間の中央部まで刷毛が入り込む。
【００１０】
【考案の実施の形態】
以下に、本考案を、その実施の形態をあらわす図面を参照しつつ詳しく説明する。
図１は本考案にかかる歯ブラシの第１の実施の形態をあらわしている。
【００１１】
図１に示すように、この歯ブラシＡは、基台１と、刷毛２とを備えている。
基台１は、植毛部１１と、この植毛部１１の一端から延出する持ち手部１２とを備え、アクリロニトリル−スチレン共重合体、ポリプロピレン、ポリメタクリル酸メチル等の合成樹脂で形成されている。
【００１２】
刷毛２は、植毛部１１の一方の面に植毛されていて、植毛部１１の植毛面１３から刷毛２の先端までの長さＬが３ｍｍ以上４ｍｍ以下になっており、ポリブチレンテレフタレート、ポリエチレンテレフタレート、ポリアミド（ナイロン）、ポリプロピレン等の合成樹脂のモノフィラメントで形成されている。
【００１３】
この歯ブラシＡは、以上のように刷毛２の植毛面１３から先端までの長さがＬが３ｍｍ以上４ｍｍ以下であるので、柔らかい材質の樹脂を用いたとしても刷毛２の腰が強く、歯間にうまく刷毛２の先端部が入り込み、歯間を容易に清掃することができる。しかも、刷毛２を柔らかい材質で形成することができるので、歯茎や歯の表面を傷めたりすることがない。
また、刷毛２が柔らかい材質で形成されていても腰が強いため、舌を傷つけることなく舌の表面の舌苔などを取り除くことができ、より口腔内を清潔に保つことができる。すなわち、口腔内での雑菌の繁殖を抑え、その結果雑菌等による疾病の予防を図ることができる。
【００１４】
図２は本考案にかかる歯ブラシの第２の実施の形態をあらわしている。
図２に示すように、この歯ブラシＢは、植毛部１４の両面に刷毛２が植毛されていて、植毛部１４の植毛面１５から刷毛２の先端までの長さＬ１，Ｌ２がいずれも３ｍｍ以上４ｍｍ以下となっている以外は、上記の歯ブラシＡと同様になっている。なお、植毛部１４の厚みは、強度が確保できれば、できるだけ薄い方が好ましい。
【００１５】
この歯ブラシＢは、以上のように、植毛面１５から刷毛２の先端までの長さＬ１，Ｌ２がいずれも３ｍｍ以上４ｍｍ以下となっているので、上記の歯ブラシＡと同様の効果を備えている。しかも、植毛部１４の両面に刷毛２が植毛されているので、上下の歯を同時に磨くことができ、歯磨き時間を短縮することができる。
特に奥歯を磨く際には、上下の刷毛の厚み分だけ口を大きく開けなければならない。したがって、奥歯近傍から喉側にかけての口腔内の粘膜部分の運動にもなり、粘膜部分が鍛えられ、口腔内の菌に対する免疫抵抗力が向上し、各種疾病に対する予防効果も発揮する。さらに、老化等による嚥下力の低下も防止でき、結果として嚥下力低下に伴う食欲不振等もなくなる。
【００１６】
本考案にかかる歯ブラシは、上記の実施の形態に限定されない。たとえば、上記の歯ブラシＢの場合、植毛部１４の両面に植毛された刷毛２の長さが両面とも同じであったが、一方の面の刷毛２の長さを長く腰の弱いものにしても構わない。
上記の実施の形態では、手動の歯ブラシであったが、電動歯ブラシにも本考案の構造は応用できる。
【００１７】
【考案の効果】
本考案にかかる歯ブラシは、刷毛の植毛面から刷毛先端までの長さが２ｍｍ以上５ｍｍ以下であるので、刷毛の硬さを硬くすることなく、刷毛の腰を強くでき、歯間の清掃も容易に行うことができる。
【図面の簡単な説明】
【図１】本考案にかかる歯ブラシの第１の実施の形態をあらわす斜視図である。
【図２】本考案にかかる歯ブラシの第２の実施の形態をあらわす斜視図である。
【符号の説明】
Ａ，Ｂ　歯ブラシ
１　基台
１１，１４　植毛部
１２　持ち手部
１３，１５　植毛面
２　刷毛
【図１】
0003097828.tif 000003
【図２】
0003097828.tif 000004